(57)【特許請求の範囲】
【請求項１】
背凭れと、この背凭れをロッキング動作可能に支持する背支持用構造体を有した椅子本体とを具備してなり、
前記背凭れが、外装材と、この外装材を保持する背保形用構造体とを備えたものであり、前記背支持用構造体における前記外装材に覆われている部位に持ち手を把持可能に設けた椅子であって、
前記持ち手が、止着具を介して左右の取付部を背支持用構造体に取り付けたものであり、
前記背凭れが、前記背保形用構造体と、前記持ち手の取付部以外の部位を露出させた状態で前記背保形用構造体の背面に装着され前記外装材を構成するアウターシェルとを備え、このアウターシェルにより前記取付部を被覆していることを特徴とする椅子。
【請求項２】
前記持ち手が、左右の取付部と、これら両取付部から後方に延出させたアーム部と、これらアーム部の先端間に架設された把持部材と、前記アーム部間に架設された目隠し部材とを備えたものであり、前記目隠し部材の外面がアウターシェルの外面と連続する請求項１記載の椅子。
【請求項３】
前記背支持用構造体が、支持基部の両側に配される対をなす背フレームと、これら対をなす背フレームの上端部同士を連結する横架材とを備え、この横架材と前記背フレームとの結合部の外側に板状の取付ブラケットを有するものであって、この取付ブラケットと持ち手の取付部とを重ね合わせた状態で持ち手を取り付けるようにしている請求項１又は２記載の椅子。
【請求項４】
前記背支持用構造体が、支持基部の両側に配される対をなす背フレームを備え、この背フレームの上端に持ち手を挿入した状態で該持ち手を背フレームに取り付けるようにしている請求項１又は２記載の椅子。
【請求項５】
背凭れと、この背凭れをロッキング動作可能に支持する背支持用構造体を有した椅子本体とを具備してなり、
前記背凭れが、外装材と、この外装材を保持する背保形用構造体とを備えたものであり、前記背支持用構造体における前記外装材に覆われている部位に持ち手を把持可能に設けた椅子であって、
前記持ち手が、止着具を介して左右の取付部を背支持用構造体に取り付けたものであり、
前記背凭れが、前記背保形用構造体と、前記持ち手の取付部以外の部位を露出させた状態で前記背保形用構造体を被覆し前記外装材を構成する張地とを備え、この張地により前記取付部を被覆していることを特徴とする椅子。
【発明の詳細な説明】
【技術分野】
【０００１】
本発明は、持ち手を有する椅子に関する。
【背景技術】
【０００２】
従来、この種の椅子として、背凭れと、この背凭れをロッキング動作可能に支持する背支持用構造体を有した椅子本体とを具備してなるものが知られている（例えば、特許文献１を参照）。
【０００３】
従来のものは、外部に露出させた背支桿または背フレーム等の背支持用構造体に持ち手とすることが可能な左右に伸びる連結部を設けている。そのため、持ち手を持ちやすい背凭れの上端近傍に配しようとすると、背支持用構造体を背凭れの上部にまで延出させておく必要があり、デザイン上あるいは構造設計上の制約を受けやすいという問題がある。
【先行技術文献】
【特許文献】
【０００４】
【特許文献１】特許第４１９７０４５号公報
【発明の概要】
【発明が解決しようとする課題】
【０００５】
本発明は以上の点に着目し、デザイン上あるいは構造設計上の制約を受けにくい状態で、持ち手を持ちやすい位置に配することができる椅子を提供することを目的としている。
【課題を解決するための手段】
【０００６】
すなわち請求項１の発明に係る椅子は、背凭れと、この背凭れをロッキング動作可能に支持する背支持用構造体を有した椅子本体とを具備してなり、前記背凭れが、外装材と、この外装材を保持する背保形用構造体とを備えたものであり、前記背支持用構造体における前記外装材に覆われている部位に持ち手を把持可能に設けた椅子であって、前記持ち手が、止着具を介して左右の取付部を背支持用構造体に取り付けたものであり、前記背凭れが、前記背保形用構造体と、前記持ち手の取付部以外の部位を露出させた状態で前記背保形用構造体の背面に装着され前記外装材を構成するアウターシェルとを備え、このアウターシェルにより前記取付部を被覆していることを特徴とする。
【０００７】
このようなものであれば、背支持用構造体における前記外装材に覆われている部位に持ち手を取り付けることにより、上述したような背支持用構造体を背凭れの上部にまで延出させて該背支持用構造体の上端に持ち手を取り付ける場合に比べて、設計の変更箇所を少なくすることができる。すなわち、デザイン上あるいは構造設計上の制約を受けにくい状態で、持ち手を持ちやすい位置に配することができる。
【０００８】
本発明において、「背支持用構造体」とは、背凭れをロッキング動作可能に支持するものであればどのようなものであってもよく、例えば、背支桿、背支桿に代替される剛性を有したアウターシェル等が含まれる。また、「背保形用構造体」とは、背凭れの形状を一定範囲に維持するための部材であればどのようなものであってもよく、例えば、背インナーシェルや、背枠や、保形用の背フレーム等が含まれる。さらに、本発明における「外装材」には、張地、アウターシェル等が含まれる。
【０００９】
さらに、前記持ち手が、止着具を介して左右の取付部を背支持用構造体に取り付けたものであり、前記背凭れが、前記背保形用構造体と、前記持ち手の取付部以外の部位を露出させた状態で前記背保形用構造体の背面に装着され前記外装材を構成するアウターシェルとを備え、このアウターシェルにより前記取付部を被覆している構成により、このような持ち手を有する椅子を具体的に実現することができる。
【００１０】
また、このような椅子の見栄えを整えるための構成として、前記持ち手が、左右の取付部と、これら両取付部から後方に延出させたアーム部と、これらアーム部の先端間に架設された把持部材と、前記アーム部間に架設された目隠し部材とを備えたものであり、前記目隠し部材の外面がアウターシェルの外面と連続するものが挙げられる。
【００１１】
さらに、このような持ち手を有する持ち手の取付態様の例として、前記背支持用構造体が、支持基部の両側に配される対をなす背フレームと、これら対をなす背フレームの上端部同士を連結する横架材とを備え、この横架材と前記背フレームとの結合部の外側に板状の取付ブラケットを有するものであって、この取付ブラケットと持ち手の取付部とを重ね合わせた状態で持ち手を取り付けるようにしているものや、前記背支持用構造体が、支持基部の両側に配される対をなす背フレームを備え、この背フレームの上端に持ち手を挿入した状態で該持ち手を背フレームに取り付けるようにしているものが挙げられる。
【００１２】
一方、請求項５の発明に係る椅子は、背凭れと、この背凭れをロッキング動作可能に支持する背支持用構造体を有した椅子本体とを具備してなり、前記背凭れが、外装材と、この外装材を保持する背保形用構造体とを備えたものであり、前記背支持用構造体における前記外装材に覆われている部位に持ち手を把持可能に設けた椅子であって、前記持ち手が、止着具を介して左右の取付部を背支持用構造体に取り付けたものであり、前記背凭れが、前記背保形用構造体と、前記持ち手の取付部以外の部位を露出させた状態で前記背保形用構造体を被覆し前記外装材を構成する張地とを備え、この張地により前記取付部を被覆していることを特徴とする。
このような構成によっても、背支持用構造体における前記外装材に覆われている部位に持ち手を取り付けることにより、上述したような背支持用構造体を背凭れの上部にまで延出させて該背支持用構造体の上端に持ち手を取り付ける場合に比べて、設計の変更箇所を少なくすることができるという効果、すなわち、デザイン上あるいは構造設計上の制約を受けにくい状態で、持ち手を持ちやすい位置に配することができるという効果を奏する、持ち手を有する椅子を具体的に実現することができる。
【発明の効果】
【００１３】
本発明によれば、デザイン上あるいは構造設計上の制約を受けにくい状態で、持ち手を持ちやすい位置に配することができる。
【図面の簡単な説明】
【００１４】
【図１】本発明の第１実施形態の椅子の後方からの全体斜視図。
【図２】同実施形態の椅子の脚体を省略した背面図。
【図３】同実施形態の椅子の脚体を省略した平面図。
【図４】同実施形態の椅子の脚体を省略した右側面図。
【図５】図３におけるＡ−Ａ線断面図。
【図６】図５における上部拡大断面図。
【図７】図５における下部拡大断面図。
【図８】図２におけるＢ−Ｂ線断面図。
【図９】同実施形態の持ち手の取付態様を示す分解斜視図。
【図１０】同実施形態の要部を示す下方からの斜視図。
【図１１】同実施形態の要部の中央側断面で示す作用説明図。
【図１２】同実施形態の要部の中央側断面で示す作用説明図。
【図１３】同実施形態の要部の側断面で示す作用説明図。
【図１４】同実施形態の要部の側断面で示す作用説明図。
【図１５】同実施形態の要部の側断面で示す作用説明図。
【図１６】図１３におけるＤ−Ｄ線断面図。
【図１７】本発明の他の実施形態の持ち手の取付態様を示す分解斜視図。
【図１８】本発明の他の実施形態の持ち手の取付態様を示す分解斜視図。
【発明を実施するための形態】
【００１５】
＜第１実施形態＞
以下、本発明をシンクロチルト式の事務用回転椅子１に適用した場合の一実施形態につき、図１〜図１７を参照して説明する。
【００１６】
この椅子１は、床面に対して移動可能なものであり、図１〜図１６に示すように、椅子本体２と、この椅子本体２に支持された背凭れ３及び座４と、前記背凭れ３に支持された持ち手５とを具備してなる。
【００１７】
＜椅子本体＞
椅子本体２は、図１、図２、図４、図５、図７及び図１０〜図１６に示すように、脚体２１に支持された支持基部２２と、この支持基部２２に支持されて後傾動作可能な背支持用構造体２３と、前記支持基部２２の上方に配された座支持用構造体２４と、前記支持基部２２、前記背支持用構造体２３及び前記座支持用構造体２４をリンク要素２５４として備えたシンクロロッキング機構２５とを具備してなる。この椅子本体２は、前記背支持用構造体２３に支持された背凭れ３が後傾動作した場合に、前記座支持用構造体２４に支持された座４が同期して傾動するように構成されたものである。すなわち、座４が背凭れ３の後傾動作に対して一定の角度比率をもって沈み込む動作、換言すれば、シンクロチルト動作が実現されるようになっている。そして、前記シンクロロッキング機構２５に関連させて、背凭れ３を初期位置に自己復帰させるための反力機構２６と、背凭れ３及び背支持用構造体２３を所定の傾動位置に係止するための係止機構２７を設けている。
【００１８】
＜脚体＞
脚体２１は、図１に示すように、キャスタ２１１を有した脚羽根タイプの脚ベース２１２と、この脚ベース２１２の中心部に立設した脚支柱２１３とを具備してなる。前記脚支柱２１３は、ガススプリングを主体に構成された通常のもので、この脚支柱２１３の上端部に前記支持基部２２が取り付けられている。
【００１９】
＜支持基部＞
支持基部２２は、図２、図４、図５、図７及び図１０〜図１６に示すように、前記脚体２１によって水平旋回可能に支持されたもので、前記脚支柱２１３に装着された主ハウジング２２１と、この主ハウジング２２１に剛結された副ハウジング２２２とを備えてなる。主ハウジング２２１は、金属製のもので、前記脚支柱２１３の上端が嵌合するボス部２２８を有した底壁２２３と、この底壁２２３の左右両側縁から起立させた左右の側壁２２４とを備えたもので、前後及び上方に開放されている。副ハウジング２２２は、金属製のもので、基端部が前記主ハウジング２２１内に配され先端側を前方に延出させた底壁２２５と、この底壁２２５の左右両側縁から起立させた左右の側壁２２６と、これら両側壁２２６の上縁から外側方に延出させた鍔２２７とを備えたものである。この副ハウジング２２２は、前記両鍔２２７の下面を前記主ハウジング２２１の左右の側壁２２４の上縁に当接させるとともに、前記左右の側壁２２６を前記主ハウジング２２１の左右の側壁２２４内面に密着させた状態で、溶接等により前記主ハウジング２２１と一体化されている。
【００２０】
このようにしてなる支持基部２２に、主軸２８を介して背支持用構造体２３を後傾動作可能に支持させるとともに、前連結軸２９を介して座支持用構造体２４の前側を回動可能かつ前後スライド可能に支持させている。具体的には、前記主ハウジング２２１の側壁２２４間に回転可能に貫通させた主軸２８の両端部に、前記背支持用構造体２３を接続している。また、前記副ハウジング２２２の側壁２２６に前後方向に伸びる長孔２２０をそれぞれ設けておき、それら長孔２２０に挿通させた前連結軸２９の両端部に前記座支持用構造体２４の前側を接続している。前記反力機構２６及び係止機構２７は、支持基部２２の外部に設けられているため、支持基部２２にそれらの機構を設けるためのスペースは設けられていない。すなわち、本実施形態の支持基部２２は、後述する第２実施形態のような反力機構等を内部に設けた支持基部よりもはるかに小型化されたものである。
【００２１】
＜背支持用構造体＞
背支持用構造体２３は、図５〜図７及び図１０〜図１６に示すように、いわゆる背支桿としての機能を有するもので、例えば、支持基部２２の両側に配される対をなす背フレーム２３１と、これら左右の背フレーム２３１を接続する複数の横架材２３４、２３５、２３６とを具備してなる。背フレーム２３１は、基端部２３７を前記主軸２８に支持させて後方に延出する下部フレーム要素２３２と、この下部フレーム要素２３２の後端部から上方に屈曲して延びる上部フレーム要素２３３とを備えたもので、側面視Ｌ字状をなしている。これら下部フレーム要素２３２及び上部フレーム要素２３３は、パイプ素材を屈曲させることにより一体に形成されている。下部フレーム要素２３２は下横架材２３４により、上部フレーム要素２３３は中間横架材２３５及び上横架材２３６により、それぞれ連結されている。下横架材２３４は、下方に開口されたチャンネル状をなすもので、両側部を下部フレーム要素２３４の内側にそれぞれ溶接継ぎ手を介して結合されたものである。中間横架材２３５及び上横架材２３６は、前方に開口されたチャンネル状をなすもので、前記上部フレーム要素２３３の背面側にそれぞれ溶接継ぎ手を介して結合されたものである。中間横架材２３５及び上横架材２３６の両結合部の外側には、ボルト孔２３８ａ、２３０ａを有した板状の取付ブラケット２３８、２３０を備えている。
【００２２】
＜座支持用構造体＞
座支持用構造体２４は、図５、図７及び図１０〜図１５に示すように、いわゆる座受けとしての機能を有するもので、盤状をなしている。この座支持用構造体２４の前端部には、下方に垂下する左右対をなす前ブラケット２４１が設けられており、これら両前ブラケット２４１を前記前連結軸２９の両端部に取り付けることにより、この座支持用構造体２４を支持基部２２に回転かつスライド移動可能に支持させている。座支持用構造体２４の後端部には、下方に垂下する左右対をなす後ブラケット２４２が設けられており、これら両後ブラケット２４２を後連結軸２０を介して背支持用構造体２３の左右の背フレーム２３１に回転可能に支持させている。この座支持用構造体２４の下面には、肘掛け取付用の構造体２４３が取り付けられている。肘掛け取付用の構造体２４３の両端部は、座支持用構造体２４の左右両端部よりも外方に延出させてあり、その両端部に図示しない肘掛けを着脱可能に取り付けることができるようにしてある。
【００２３】
＜シンクロロッキング機構＞
シンクロロッキング機構２５は、図５、図７及び図１０〜図１５に示すように、前記支持基部２２と、この支持基部２２に第１の軸着部２５１を介して支持された前記背支持用構造体２３と、前側を前記支持基部２２に第２の軸着部２５２を介して支持させるとともに、後側を前記背支持用構造体２３に第３の軸着部２５３を介して支持させた前記座支持用構造体２４とを備えたものである。第１の軸着部２５１は、前記主軸２８を主体に構成されたもので、前記背支持用構造体２３を前記支持基部２２に対して回転可能に軸着している部分である。第２の軸着部２５２は、前記前連結軸２９を主体に構成されたもので、前記座支持用構造体２４を前記支持基部２２に対して回転かつ前後スライド動作可能に軸着している部分である。第３の軸着部２５３は、前記後連結軸２０を主体に構成されたもので、前記座支持用構造体２４を前記背支持用構造体２３に対して回転可能に軸着している部分である。換言すれば、前記シンクロロッキング機構２５は、前記支持基部２２と、前記座支持用構造体２４と、前記背支持用構造体２３という３つのリンク要素２５４を第１、第２、第３の軸着部２５１、２５２、２５３を介して軸着することにより構成されたものである。
【００２４】
＜反力機構＞
反力機構２６は、図１、図２、図４、図５、図７及び図１０〜図１５に示すように、背支持用構造体２３を後傾動作前の初期位置に自己復帰させるためのもので、前記支持基部２２の外部に設けられている。詳述すれば、この反力機構２６は、前記座支持用構造体２４と、前記シンクロロッキング機構２５を構成する当該座支持用構造体２４以外のリンク要素２５４との間に設けられたものである。この実施形態においては、反力機構２６は、前記座支持用構造体２４と背支持用構造体２３との間に設けられたもので、一端２６４を座支持用構造体２４に支持させるとともに、前記座支持用構造体２４以外のリンク要素２５４、すなわち背支持用構造体２３を貫通させて他端２６５側を外部に延出させたロッド２６１と、このロッド２６１の他端２６５に設けた受け部材２６２と、この受け部材２６２と前記座支持用構造体２４以外のリンク要素２５４、すなわち背支持用構造体２３との間に設けられた弾性体２６３とを備えたものである。
【００２５】
ロッド２６１は、図５、図７及び図１０〜図１５に示すように、一端２６４側である上端部を座支持用構造体２４の後端部に支持させたもので、他端２６５側である下端部に雄ねじ部２６６を有している。このロッド２６１は、前記背支持用構造体２３の下横架材２３４に設けられた貫通孔２３９に挿通させてあり、下端側は下横架材２３４の下方に突出している。
【００２６】
受け部材２６２は、図１、図２、図４、図５、図７及び図１０〜図１５に示すように、前記ロッド２６１の他端２６５に設けられた雄ねじ部２６６に螺合進退可能に螺着されたものであり、この受け部材２６２に前記弾性体２６３を包囲するグリップを兼ねたカバー２６７を備えたものである。詳述すれば、受け部材２６２は、弾性体２６３の下端部を受ける受け皿２６８と、この受け皿２６８を下側から支えるようにして前記ロッド２６１の雄ねじ部２６６に螺着されたナット２６９と、このナット２６９が雄ねじ部２６６から外れるのを防止すべく前記ロッド２６１の下端に設けられたストッパ２６０と、前記ナット２６９に固着され前記受け皿２６８及び弾性体２６３の外周囲を覆うカバー２６７とを具備してなる。前記受け皿２６８は、板金素材によって形成されるものであり、前記カバー２６７は、合成樹脂製のものである。
【００２７】
弾性体２６３は、図５、図７及び図１０〜図１５に示すように、軸心をロッド２６１の軸心に一致させて配された径の異なる複数の圧縮コイルスプリング２６３ａ、２６３ｂである。具体的には、この弾性体２６３は、前記ロッド２６１に巻装した状態で前記受け部材２６２の受け皿２６８と背支持用構造体２３の下横架材２３４との間に介在させた第１の圧縮コイルスプリング２６３ａと、この第１の圧縮コイルスプリング２６３ａと前記ロッド２６１との間に形成された環状空間に位置させて前記受け部材２６２の受け皿２６８と背支持用構造体２３の下横架材２３４との間に介在させた第２の圧縮コイルスプリング２６３ｂとを備えたものである。第１の圧縮コイルスプリング２６３ａと第２の圧縮コイルスプリング２６３ｂとは、相互に異なる方向に巻かれた形態をなしている。
【００２８】
＜係止機構＞
係止機構２７は、図５、図７及び図１０〜図１６に示すように、前記背支持用構造体２３を所定の傾動位置に係止するためのもので、前記支持基部２２の外側近傍において前記両背フレーム２３１同士を剛結する連結部材２７１と、前記支持基部２２に操作軸２７２を介して前後方向に回動可能に支持されこの連結部材２７１の所定箇所に係合可能な係合部材２７３と、この係合部材２７３を前記連結部材２７１に係合する係合位置（Ｂ）と前記連結部材２７１に係合し得ない退避位置（Ａ）との間で作動させる操作手段２７４と、前記係合部材２７３を前記係合位置（Ｂ）と退避位置（Ａ）とのいずれかに選択的に保持するための節度機構２７５とを備えたものである。
【００２９】
連結部材２７１は、図７及び図１０〜図１５に示すように、金属製の板状をなすものであり、本実施形態においては、ほぼ水平な上縁６１及び下縁６２を有した長方形状のものである。この連結部材２７１は、左右両端部が溶接継ぎ手を介して前記背フレーム２３１の内側にそれぞれ剛結されている。連結部材２７１の上縁６１と下縁６２との間に位置する中間部６３には、係合孔６４が形成されている。
【００３０】
係合部材２７３は、図７及び図１０〜図１６に示すように、基端部２３７を前記操作軸２７２に固着して前記支持基部２２の主ハウジング２２１の後方開口端部に配された回動板６５と、この回動板６５の回動端から後方に突設された爪６６とを具備してなる。この係合部材２７３は、金属製のものであり、前記回動板６５と爪６６とが一体に形成されている。
【００３１】
操作手段２７４は、図１、図２、図４、図１０及び図１６に示すように、前記操作軸２７２に回転方向の操作力を付与するためのもので、操作軸２７２の一端を屈曲させた屈曲部６７と、この屈曲部６７に手を掛けるための図示しない把持部とを備えている。
【００３２】
節度機構２７５は、図７、図１０〜図１６に示すように、支持基部２２の内側面に設けられ前記回動板６５の外側縁に係わり合う節度子６８と、この節度子６８を弾性支持する弾性支持要素６９とを備えたものである。具体的には、弾性支持要素６９は、支持基部２２の主ハウジング２２１の側壁２２４内面に取り付けられる取付ベース６９１と、この取付ベース６９１に支持されて厚み方向に弾性変形する弾性壁６９２とを備えたもので、この弾性壁６９２の反取付ベース６９１側に半球状をなす前記節度子６８が設けられている。前記取付ベース６９１と弾性壁６９２と節度子６８とは、合成樹脂により一体に成形されている。係合部材２７３が退避位置（Ａ）にある場合には、前記節度子６８が回動板６５の背面６５１側に係合している。この状態から係合部材２７３を係合位置（Ｂ）に移動させるべく回動板６５を後方に回動させると、この回動板６５に付勢されて前記弾性壁６９２に弾性支持されている節度子６８が一時的に側方に退避し、係合部材２７３が係合位置（Ｂ）に到達した段階で前記節度子６８が弾性復帰して、回動板６５の前面６５２側に係合するようになっている。
【００３３】
＜背凭れ＞
背凭れ３は、図１〜図８に示すように、前記椅子本体２の背支持用構造体２３に支持されたもので、外装材３２と、この外装材３２を保持する背保形用構造体３１とを具備してなる。
【００３４】
背保形用構造体３１は、図５〜図８に示すように、いわゆるインナーシェルと称される形態のもので、ナイロン等の合成樹脂により一体に成形されている。この背保形用構造体３１は、背凭れ３の全体形状を規定するシェル本体３３と、このシェル本体３３の背面を補強するリブ３４と、前記背支持用構造体２３を取り付けるための背フレーム取付部３５とを備えている。背フレーム取付部３５は、中間横架材２３５の各ブラケット２３８に設けたボルト孔２３８ａに対応する部位に図示しない雌ねじ孔を有した図示しないボス部を形成したものであるとともに、上横架材２３６の取付ブラケット２３０に設けたボルト孔２３０ａに対応する部位にも、雌ねじ孔３６２を有したボス部３６１を形成したものである。
【００３５】
外装材３２は、図１〜図８に示すように、前記背保形用構造体３１の前面に添接されるクッション３７と、このクッション３７及び前記背保形用構造体３１の周縁を覆う張地３８と、この張地３８の縁部３８１を隠すようにして前記背保形用構造体３１の背面に設けられるアウターシェル３９とを備えている。前記張地３８の縁部３８１は、前記背保形用構造体３１の背面側に回し込んだ上で、図示しないタッカ等を用いてこの背保形用構造体３１に固定されている。アウターシェル３９は、合成樹脂製のもので、前面部における周縁部近傍に係合爪３９１を備えたものである。それら係合爪３９１を前記背保形用構造体３１の周縁部３８１近傍に設けられたアウターシェル取付部３０に弾性係合させることにより、このアウターシェル３９が背保形用構造体３１に取り付けられている。アウターシェル３９の上半部には、持ち手５との干渉を避けるべく該持ち手５を通過させるための把手取付孔３９２が設けられている。
【００３６】
＜座＞
座４は、図１〜図５及び図７に示すように、前記椅子本体２の座支持用構造体２４に支持されたもので、外装材４２と、この外装材４２を保持する座保形用構造体４１とを具備してなる。座保形用構造体４１は、いわゆるインナーシェルと称される形態のもので、ナイロン等の合成樹脂により一体に成形されている。外装材４２は、前記座保形用構造体４１の上面に添接されるクッション４３と、このクッション４３及び前記座保形用構造体４１の周縁を覆う張地４４とを備えている。
【００３７】
＜持ち手＞
持ち手５は、図１〜図６、図８及び図９に示すように、前記背支持用構造体２３における前記外装材３２に覆われている部位に設けられたもので、左右の取付部５１と、これら両取付部５１から後方に延出させたアーム部５２と、これらアーム部５２の先端間に架設された把持部材５３と、前記アーム部５２の基端間に架設された目隠し部材５４とを備えたものであり、合成樹脂により一体に成形されている。
【００３８】
なお、この持ち手５は、椅子本体２の背凭れ３上縁より上方に突出していないものである。換言すれば、持ち手５の上縁が、背凭れ３の上縁よりも下方に設定されている。
【００３９】
各取付部５１は、図９に示すように、それぞれ上下に対をなすボルト孔５１１を下端部に有し、前記インナーシェルである背保形用構造体３１の背面に沿って上下方向に延伸する板状のものである。そして、これら取付部５１のボルト孔５１１に挿通させた止着具たるボルト５１２を前記背支持用構造体２３の上横架材２３６のボルト孔２３０ａに挿通させ、前記上横架材２３６に重なり合う背フレーム取付部３５のボス部３６１の雌ねじ孔３６２にそれぞれ螺着することにより、持ち手５を背支持用構造体２３に取り付けている。以上の構造を言い換えれば、この椅子１は、前記持ち手５の取付部５１以外の部位を露出させた状態で前記インナーシェルの背面に装着されたアウターシェル３９を備えてなる。
【００４０】
各アーム部５２は、図１〜図３、図８及び図９に示すように、前記アウターシェル３９に設けられた把手取付孔３９３の左右両端部を通過し、この把手取付孔３９３の左右両端に係わり合わせることにより、持ち手５とアウターシェル３９との位置決めを行うことができるようにしてある。
【００４１】
把持部材５３は、図１〜図６、図８及び図９に示すように、中央部が後方に突出する方向に湾曲する帯板状のもので、平面視における曲率を平面視における背凭れ３上縁の曲率よりも大きくしてあるとともに、背面視において上下方向寸法を中央から外側方に向かって漸次大きくした形状をなしている。
【００４２】
目隠し部材５４は、図１、図３、図５、図６、図８及び図９に示すように、前記アウターシェル３９の把手取付孔３９２の開口形状に対応した形状をなすもので、アーム部５２とアウターシェル３９とを位置決めした状態において、この目隠し部材５４の背面５４１とアウターシェル３９の背面３９４とが面一になるように設定されている。そして、この目隠し部材５４と前記把持部材５３との間に、上下に連通する空洞７を備えている。
【００４３】
＜作動説明＞
次いで、この椅子１の作動を図１１〜図１６を用いて説明する。
【００４４】
図１１、図１３及び図１６に示す初期状態から背凭れ３に後方への荷重を作用させると、背支持用構造体２３を支持基部２２の主軸２８により構成される第１の軸着部２５１を中心にして後傾する。背支持用構造体２３が後傾すると、この背支持用構造体２３の下部フレーム要素２３２に第３の軸着部２５３を介して枢着されている座支持用構造体２４の後端側が、後方に移動しつつ下方に移動する。その際、支持基部２２に第２の軸着部２５２を介して支持されている座支持用構造体２４の前端側が、後方に移動しつつ微少に回動する。その結果、図１２及び図１５に示すように、背凭れ３が後傾するのにシンクロして座４が後方に沈み込むように回動する。その際、座支持用構造体２４の後端部と背支持用構造体２３の下部フレーム要素２３２との距離が大きくなり、反力機構２６の弾性体２６３が圧縮されて反発力が蓄積されることになる。すなわち、座支持用構造体２４の後端部と背支持用構造体２３の下部フレーム要素２３２との距離が大きくなると、座支持用構造体２４の後端部にロッド２６１を介して支持された受け部材２６２と前記背支持用構造体２３の下部フレーム要素２３２に設けられた下横架材２３４との距離が小さくなり、前記弾性体２６３が圧縮されることになる。
【００４５】
背凭れ３に作用していた後方への荷重が解除または軽減されると、前記弾性体２６３の反発力により前述した作動と逆の作動が営まれ、前記背凭れ３が前方に回動復帰するとともに、座４が初期位置に復帰する。なお、グリップを兼ねるカバー２６７を操作して、受け部材２６２の位置を調整することにより前記弾性体２６３の予圧を変更して反発力を調整することができる。
【００４６】
係止機構２７の係合部材２７３を節度機構２７５により退避位置（Ａ）に保持させておけば、以上のシンクロ動作を自由に行うことができる。
【００４７】
シンクロ動作を途中で止めたい場合には、所望の傾動位置において操作手段２７４を操作して前記係合部材２７３を係合位置（Ｂ）に回動させればよい。すなわち、図１６に示すように、初期位置で操作手段２７４を操作して係合部材２７３を退避位置（Ａ）から係合位置（Ｂ）に作動させると、その係合部材２７３の爪６６が背支持用構造体２３の基端に設けた連結部材２７１の下縁６２に係わり合うことになり、図１１及び図１３に示すように、前記背凭れ３は初期位置で係止される。これにより、着座者は執務姿勢をとることができる。また、初期位置と後述する最後傾位置との中間の傾動位置で操作手段２７４を操作して係合部材２７３を退避位置（Ａ）から係合位置（Ｂ）に作動させると、その係合部材２７３の爪６６が背支持用構造体２３の基端に設けた連結部材２７１の係合孔６４に係わり合うことになり、図１４に示すように、前記背凭れ３は中間後傾位置でロックされる。これにより、着座者は中間姿勢をとることができる。さらに、最後傾位置で操作手段２７４を操作して係合部材２７３を退避位置（Ａ）から係合位置（Ｂ）に作動させると、その係合部材２７３の爪６６が背支持用構造体２３の基端に設けた連結部材２７１の上縁６１に係わり合うことになり、図１３及び図１６に示すように、前記背凭れ３は最後傾位置で係止される。これにより、着座者は安楽姿勢をとることができる。
【００４８】
＜本実施形態の効果＞
以上に述べたように、本実施形態の椅子１は、背支持用構造体２３における前記外装材３２に覆われている部位に持ち手５を取り付けることにより、背支持用構造体２３を背凭れ３の上部にまで延出させて該背支持用構造体２３の上端に持ち手を取り付ける場合に比べて、設計の変更箇所を少なくすることができる。すなわち、デザイン上あるいは構造設計上の制約を受けにくい状態で、持ち手５を持ちやすい位置に配することができる。また、持ち手５の取付部５１を外装材３２により被覆しているので、持ち手５の取付部５１を目立たせることなく、見栄えを整えることもできる。
【００４９】
また、持ち手５の上縁が、背凭れ３の上縁よりも下方に設定されているので、持ち手５の持ちやすさと強度とを兼ね備えることができる。例えば、この持ち手５を背凭れに取り付けられるハンガーと比較すると、ハンガーは、例えばハーフコート等の比較的丈の長い衣類を掛けて後傾動作を行った場合でも、衣類の裾が床面に付かないように、比較的高い位置に設置しなければならない。そのため、従来のハンガーは、比較的長いアームの基端部を背凭れに取り付けて、背凭れの後上方の離れた位置で前記アームの先端部にハンガー本体を位置させるようにしている。したがって、衣類を保持できる最低限の強度しか備えないのが通常である。一方、持ち手５は、持ちやすい位置への配置と、この持ち手５を掴んで椅子１自体を移動させることが可能な強度とを両立させる必要がある。すなわち、本実施形態の持ち手５は、持ちやすさの確保のために、背凭れ３背面の上方に設定し、強度確保のために、アーム部５２をハンガーのアームに比べて短く設定している。なお、持ち手５のアーム部５２が比較的短いと背凭れ３に近い場所に位置するため、持ち手５の上縁が背凭れ３の上縁よりも上方に設定されていると、背凭れ３の後傾時に持ち手５が着座者の肩や頭部に当たる可能性がある。そのため、本実施形態の持ち手５は、背凭れ３の高さを上限としてそれよりも低い場所に位置させている。換言すれば、持ち手５の上縁は、背凭れ３の上縁よりも下方に設定されている。
【００５０】
さらに、前記持ち手５が、止着具を介して左右の取付部５１を背支持用構造体２３に取り付けたものであり、前記背凭れ３が、クッション３７と、このクッション３７を背面側から保持する背保形用構造体３１と、前記持ち手５の取付部５１以外の部位を露出させた状態で前記背保形用構造体３１の背面に装着され前記外装材３２を構成するアウターシェル３９とを備え、このアウターシェル３９により前記取付部５１を被覆しているので、これら背保形用構造体３１、クッション３７及びアウターシェル３９を備えた広く採用されている態様の背凭れ３を有する椅子１において、上述した持ち手５を実現できる。
【００５１】
加えて、前記持ち手５が、左右の取付部５１と、これら両取付部５１から後方に延出させたアーム部５２と、これらアーム部５２の先端間に架設された把持部材５３と、前記アーム部５２間に架設された目隠し部材５４とを備えたものであり、前記目隠し部材５４がアウターシェル３９の外面３９４と連続する外面を備えているので、この目隠し部材５４によって前記取付部５１の背支持用構造体２３に対する取付部位を被覆でき、さらに目隠し部材５４の外面がアウターシェル３９の外面３９４と連続しているので見栄えを整えることができる。
【００５２】
なお、本発明は以上に述べた実施形態に限らない。
【００５３】
例えば、上述した実施形態では、背凭れの外装材が、背保形用構造体の前面に添接されるクッションと、このクッション及び前記背保形用構造体の周縁を覆う張地と、この張地の縁部を隠すようにして前記背保形用構造体の背面に設けられるアウターシェルとを備えており、持ち手の取付部位をアウターシェルにより被覆しているが、例えば、図１７に示すような態様のものも考えられる。以下の説明において、上述した第１実施形態におけるものに対応する各部位には、同一の名称及び符号を付している。この態様では、背凭れの外装材３２が、図示しない背保形用構造体の前面に添接される図示しないクッションと、このクッション並びに前記背保形用構造体の周縁及び背面を覆う張地８とを備えており、アウターシェルを備えていない構成のものにおいて、持ち手５の取付部５１を張地８により被覆する構成のものが考えられる。この態様の持ち手５は、目隠し部５４を備えていないこと以外は上述した第１実施形態の持ち手５と同様の構成を有する。また、前記張地８の背面には、持ち手５のアーム部５２を通過させるための持ち手通過孔８１と、これら持ち手通過孔８１間に設けられ背保形用構造体への取り付けの際に把持部材５３を通過させることが可能なスリット８２とを備えている。そして、前記スリット８２の上下両側の部位は、背保形用構造体に取り付けられた状態で前記背保形用構造体を被覆する。そして、この張地８のスリット８２の下方の部位は、背保形用構造体に取り付けられた状態で持ち手５の取付部５１を被覆する。なお、この態様において、その他の部位は、上述した第１実施形態の椅子と同様の構成を有する。
【００５４】
また、上述した実施形態では、持ち手の取付部を前記背支持用構造体の上横架材に重ね合わせた状態で取り付けるようにしているが、以下に述べるように、持ち手の下端部を前記背支持用構造体の背フレームの上端に挿入して取り付ける態様のものを採用してもよい。なお、以下の説明において、上述した第１実施形態におけるものに対応する各部位には、同一の名称及び符号を付している。この態様の持ち手５は、図１８に示すように、左右の取付部５１と、これら両取付部５１から後方に延出させたアーム部５２と、これらアーム部５２の先端間に架設された把持部材５３と、前記アーム部５２の基端間に架設された目隠し部材５４とを備えたものであり、全体が一体に成形されている。前記アーム部５２、前記把持部材５３、及び前記目隠し部材５４は、上述した第１実施形態の持ち手５に係るものと同様の構成を有する。前記取付部５１は、背支持用構造体２３の背フレーム２３１の上端に挿入可能であり、雌ねじ孔５５ａを有する挿入部５５と、この挿入部５５を下面に固定してなる板状の接続部５６と、この接続部５６から上方に延伸し上端で前記アーム部５２に接続する起立部５７とを備えている。一方、前記背フレーム２３１の上端部には、前記雌ねじ孔５５ａと重なり合うことが可能なねじ挿通孔２３３ａを設けている。そして、前記背フレーム２３１のねじ挿通孔２３３ａと前記取付部５１の雌ねじ孔５５ａとを重ね合わせた状態で、図示しない止着具である雄ねじ部材を前記雌ねじ孔５５ａにねじ止めすることにより、背フレーム２３１と持ち手５とを連結している。そして、上述した第１実施形態と同様に、アウターシェル３９により持ち手の取付部５１が被覆されている。なお、この態様において、その他の部位は、上述した第１実施形態の椅子と同様の構成を有する。
【００５５】
これらの態様によっても、外装材３２により持ち手５の取付部５１が被覆されているので、持ち手５の取付部５１を目立たせることなく、見栄えを整えることができるとともに、背支持用構造体２３を背凭れ３の上部にまで延出させて該背支持用構造体２３の上端に持ち手を取り付ける場合に比べて、設計の変更箇所を少なくすることができる。すなわち、デザイン上あるいは構造設計上の制約を受けにくい状態で、持ち手５を持ちやすい位置に配することができる。
【００５６】
また、上述した第１実施形態では、目隠し部材の外面がアウターシェルの外面と面一となるようにしているが、目隠し部材の外面がアウターシェルの外面から外方に突出している形状等、他の形状を採用してもよい。
【００５７】
その他、本発明の趣旨を損ねない範囲で種々に変形してよい。
【符号の説明】
【００５８】
１…椅子
２…椅子本体
２３…背支持用構造体
２３１…背フレーム
２３６…横架材
２３０…取付ブラケット
３…背凭れ
３１…背保形用構造体
３２…外装材
３９…アウターシェル
５…持ち手
５１…取付部
５２…アーム部
５３…把持部材
５４…目隠し部材
【図１】
0005970951.tif 000002
【図２】
0005970951.tif 000003
【図３】
0005970951.tif 000004
【図４】
0005970951.tif 000005
【図５】
0005970951.tif 000006
【図６】
0005970951.tif 000007
【図７】
0005970951.tif 000008
【図８】
0005970951.tif 000009
【図９】
0005970951.tif 000010
【図１０】
0005970951.tif 000011
【図１１】
0005970951.tif 000012
【図１２】
0005970951.tif 000013
【図１３】
0005970951.tif 000014
【図１４】
0005970951.tif 000015
【図１５】
0005970951.tif 000016
【図１６】
0005970951.tif 000017
【図１７】
0005970951.tif 000018
【図１８】
0005970951.tif 000019